(57)【要約】      （修正有）【課題】釣り上げた魚を迅速に収納できることと、一旦収納された魚が決して飛び出さないこととが両立するバッカンと蓋部材の提供。【解決手段】直方体形状であるバッカン１の少なくとも天面が網体３で構成されており、該網体３には魚投入スリット３１が設けられており、且つ、該網体３直下には、バッカン本体２の内部を横切る水平面に沿ったフロート板５が、該水平面を二分する形で配置されており、これら二分されたフロート体５は、対向する一対の内壁に可回動に固定されている。或いは、そのバッカン本体２が存在しないバッカン用蓋部材。【選択図】図１
2020039325.tif 000002
【特許請求の範囲】
【請求項１】
直方体形状であるバッカンの少なくとも天面が網体で構成されており、該網体には魚投入スリットが設けられており、且つ、該網体直下には、バッカン内部を横切る水平面に沿ったフロート板が、該水平面を二分する形で配置されており、これら二分されたフロート体は、対向する一対の内壁に可回動に固定されたものであることを特徴とする釣り用バッカン。
【請求項２】
天面に加え、天面以外の少なくとも一面も網体で構成されている請求項１記載の釣り用バッカン。
【請求項３】
該フロート体の比重が小さく、フロート体を除いた全部材の比重は１を越え、フロート体を含む全部材の比重は１未満である請求項２記載の釣り用バッカン。
【請求項４】
直方体形状であるバッカンの開口部に、該開口部を覆う形で嵌め込んで設置するものであって、天面とその周囲から垂下する垂直部を有し、少なくとも該天面が網体で構成されており、該網体には魚投入スリットが設けられており、且つ、該網体直下には、設置時バッカン内部を横切る水平面に沿ったフロート板が、該水平面を二分する形で配置されており、これら二分されたフロート体は、対向する一対の垂直部に可回動に固定されたものであることを特徴とする釣りバッカン用蓋部材。
【発明の詳細な説明】
【技術分野】
【０００１】
本発明は、釣り用バッカン、特に、釣り上げた魚を活かしておくための釣り用バッカンの開口部に特徴のあるバッカン又はその蓋部材の構造に関するものである。
【背景技術】
【０００２】
釣り用具の一つであるバッカンは、軽量であって防水性も有する中空容器であって、撒き餌入れとして用いる以外に、釣り道具入れとして用いたり、或いは、釣り上げた魚を活かしておくための容器として用いられる。
そして、釣り上げた魚を活かしておくためにバッカンを用いる場合、予めバッカン内に水（海釣りの場合であれば海水）を張り、釣り座近くに置いておき、釣り上げた魚を迅速に投入する、という使用形態となる。
従って容器には、「海水等を簡単に入れることができること」、「魚を簡単に投入できること」、「容器内で魚が暴れても容器外に飛び出さないこと」、「海水等の入れ替えが容易であること」、「海水等の入れ替えの際に釣った魚が出ないこと」といった付加的な機能が求められる。
【０００３】
そうしたことから、網体で開口部のみ、或いは全体を構成することで、海水等の投入作業や新鮮な海水との入れ替え作業を簡単確実にしたものがある。
少なくとも開口部を網体で覆うことにより、水張りも水交換も簡単になる。
また、開口部を覆っている網体にスリットを入れたもの、更には、このスリット周縁にスライドファスナーを取り付けて開閉自在とする構造のものもある。
【先行技術文献】
【特許文献】
【０００４】
【特許文献１】特開２０１６−２０８９５３公報
【発明の概要】
【発明が解決しようとする課題】
【０００５】
このように、釣り上げた魚を活かしておくためにバッカンについても、様々な工夫が凝らされてきていると言える。
しかしながら、通常丸一日の釣行であっても対象魚が釣れる時刻帯は概して短く、１，２時間程度、状況によっては３０分足らずの場合もある。つまり、魚が釣れる度にスライドファスナーを開き、魚を投入し、再びスライドファスナーを閉じる、という作業はミスしやすいものであるし面倒というだけではなく、釣果に影響することともなりかねず、ストレスと感じる釣り人は多い。
【０００６】
そうしたことから、釣り上げた魚を放り込むだけで、張られた水に飛び出すことなく収納される構造を持つバッカンの登場が待たれていた。
【課題を解決するための手段】
【０００７】
そこで本発明者は、上記点に鑑み鋭意研究の結果遂に本発明を成したものであり、その特徴とするところは、直方体形状であるバッカンの少なくとも天面が網体で構成されており、該網体には魚投入スリットが設けられており、且つ、該網体直下には、バッカン内部を横切る水平面に沿ったフロート板が、該水平面を二分する形で配置されており、これら二分されたフロート体は、対向する一対の内壁に可回動に固定された点、或いは、直方体形状であるバッカンの開口部に、該開口部を覆う形で嵌め込んで設置するものであって、天面とその周囲から垂下する垂直部を有し、少なくとも該天面が網体で構成されており、該網体には魚投入スリットが設けられており、且つ、該網体直下には、設置時バッカン内部を横切る水平面に沿ったフロート板が、該水平面を二分する形で配置されており、これら二分されたフロート体は、対向する一対の垂直部に可回動に固定された点にある。
【０００８】
即ち本発明は、バッカン自体の構造に関する発明と、バッカンの開口部に嵌め込んでそのバッカンの蓋となる部材の構造の発明とによりなる。
いずれの場合にも、投入される魚はフロート体を越えてその下にある水中に入り込むことになる。更に、バッカンの蓋側に設けられた魚投入スリットの切り込み方向と、フロート体の突合せ間隙が作る隙間の長手方向とを「直交」させた場合には、一旦バッカン内に入った魚がバッカンの外に出ようとして暴れても、網鯛が存在するためフロート体は十分開かず、そのため出ることができない。
【０００９】
以下先ずは、バッカン自体の発明について説明してゆく。
フロート体は、２枚より成る観音開き構造のものであって、直方体形状であるバッカンの対向する側面上端近くに可回動に取設される。バッカン内に注水してゆくと、フロート体は浮力によって回動を始め、満杯若しくは満杯近くまで注水されると、各フロート体は水面を覆うようになる。
この状態で２枚のフロート体の突合せ部分には多少の隙間があっても良いが、重複することがないようにするのが好ましい。重複すると、いずれかのフロート体は他方のフロート体の上に乗るという形となり、釣った魚を上に載っている側のフロート体に置いてしまったら水中に入りにくくなるからである。重複させないためにフロート体の長さを、突合せた時に、僅かな隙間ができるようにしておくのが一般的である。或いは、突合せてしまうと重複するような長さのフロート体を用いるものの、バッカン内に敢えて満杯まで水を溜めないという方法を採っても良い。この場合には２枚のフロート体はＶ字状（正確にはＶ字の下端は離反している）になり、釣った魚は効果的に水中に案内される。
【００１０】
本発明のバッカンの天面開口部は、網体にて構成される。この網の構造・材質に関しては特に限定するものではなく、従来のザルバッカンに使用されているものと同様のものを採用すれば良い。
この網体には、魚投入スリットが設けられる。スリットの長さは対象魚によって最小長さが存在するので、特に限定はしない。但し、スリットから魚を投入すると自動的にフロート体同士の突合せ部分に案内される位置関係にあることが望ましい。
また、従来こうしたバッカンの魚投入用スリットにあっては、スライドファスナーを用いて開閉自在としたものが多い。本発明でもそれと同様スライドファスナー付きとしても良いがフィッシング中は開いたままであることを勘案すると、開閉可能にする必然性はなく、単純なスリットで十分である。フィッシング終了後には、フロート体は浮力を得られないので、状況によってはスリットを積極的に閉じる方が好ましく、スライドファスナー付きが望まれる場合もあろうが、本発明においてはスライドファスナーの存在は必須の要件とはしない。
【００１１】
上述したように本発明バッカンの天面開口部は、網体にて構成されるが、他の５面（４つの側面と底面）のいずれか若しくは全てを、網体で形成するようにしても良い。
勿論その場合、本発明バッカン単独では内部に水を溜めることができないので、別体のバッカンに格納することで魚活かし容器として機能することになる。このように、通常のバッカン内部に網体バッカンを入れ子式に格納しておくと、魚だけを取り出す場合、新鮮な水と交換する場合、等々の際に便利なものとなる。
【００１２】
次に、本発明の他の構造、即ち、別体であるバッカンに、その開口部を覆う形で嵌め込むことで、当該バッカンの蓋となる「蓋部材」について述べる。
この蓋部材は、上記「網体」「スリット」「フロート体」を具備するものであってフロート体は、当該バッカンの対向する側面上端近くに可回動に取設されるものであるので、ある程度の厚みが必要となる。上述した「開口部を覆う形で嵌め込む」というのは、この厚み部分をバッカン内に没入させるということを意味する。
【００１３】
蓋部材においてその天面は網体で形成される。また魚投入スリットはこの網体に設けられる。但しフロート体は、天面に直接取設されるのではなく、網体の周囲から垂下する垂直部に取設される。
この垂直部の詳細（形状や材質等々）については特に限定はしない。フロート体の一端を受け止めることができ、浮力によってフロート体が回動するのを阻害せず、魚投入の衝撃に耐えることができさえすれば良い。
【００１４】
本発明の蓋部材を嵌め込むバッカンは、専用品であることが好ましい。例えば、蓋部材の天面周囲とバッカン開口部の開口端周囲をスライドファスナーにて連結できるようにしておけば、蓋部材とバッカンとの連結強度が向上するので作業性・安全性が向上するし、蓋部材を外して他の用途に供することも容易になる。
但し専用品であることを本発明に必須の要件とはしない。
【００１５】
フロート体の材質についても特に限定はしない。発泡プラスチックなど材料自体が十分な浮力を持つものでも良いし、中空部を設けて浮力を確保させたものであっても良い。また、魚投入に対する耐衝撃性、生臭さや汚れの除去の容易さ、等々が勘案されていることが望ましい。
フロート体と垂直部の連結構造に関しても特段限定するものではなく、溶着・縫製・リング留め、等々が採用可能である。
【発明の効果】
【００１６】
本発明は、「バッカン」又は「バッカン用蓋部材」についてのものであり、その中「バッカン」に関しては、直方体形状であるバッカンの少なくとも天面が網体で構成されており、該網体には魚投入スリットが設けられており、且つ、該網体直下には、バッカン内部を横切る水平面に沿ったフロート板が、該水平面を二分する形で配置されており、これら二分されたフロート体は、対向する一対の内壁に可回動に固定されたものであることを、「バッカン用蓋部材」に関しては、直方体形状であるバッカンの開口部に、該開口部を覆う形で嵌め込んで設置するものであって、天面とその周囲から垂下する垂直部を有し、少なくとも該天面が網体で構成されており、該網体には魚投入スリットが設けられており、且つ、該網体直下には、設置時バッカン内部を横切る水平面に沿ったフロート板が、該水平面を二分する形で配置されており、これら二分されたフロート体は、対向する一対の垂直部に可回動に固定されたものであることを特徴とするものであり、次のような効果を有する極めて高度な発明である。
【００１７】
（１）  バッカン内に水を溜めると、観音開きするフロート体を有しているので、釣った魚をフロート体の隙間辺りに投入すれば水中に自動的に落下する。
（２）  水中に落下した後は、網体が邪魔になってフロート体が逆方向には開きにくくなっているため、ファスナーを閉じる等の付加的な作業を伴わずに、魚が外に飛び出る危険性が激減する。
【図面の簡単な説明】
【００１８】
【図１】本発明に係るバッカンの一例を示す概略斜視図である。
【図２】（ａ）（ｂ）は、図１で示した本発明に係るバッカンの使用状態の一例を示すいずれも概略断面図である。
【図３】本発明に係るバッカンの他の例を示す概略正面図である。
【図４】本発明の更に他の例であるバッカン用蓋部材の一例を示す概略斜視図である。
【図５】図４で示したバッカン用蓋部材の使用状態の一例を示す概略断面図である。
【発明を実施するための形態】
【実施例１】
【００１９】
図１は、本発明に係るバッカン（以下本発明バッカン１という）の一例を示すものである。図より明らかなように本例の本発明バッカン１は、バッカン本体２の開口部に網体３を配置したものである。この網体３は、周囲にスライドファスナー４の片側が配置されており、バッカン本体２の開口部に同じく配置されたスライドファスナー４の他の片側と噛合し開閉自在となっている。また網体３には、魚投入用スリット３１が設けられている。なお本図は、網体３をほとんど開き、内部を明らかにした状態を示すものである。
【００２０】
バッカン本体２の内部壁面２１には、一対のフロート体５・５が観音開きとなる形で取設されている。本例の場合フロート体５は、発泡ポリスチレンの薄板の全表面をポリウレタンで覆ったものであり、フロート体５の端部と内部壁面２１とは環６によって可回動に連結されているが、フロート体５の素材や構造、或いは可回動に連結するための機構などに関しては適宜選択すべき事項であるので、他の例についての具体的説明は省略する。
フロート体５は網体３の下方に設けられており、フロート体５は外周壁上の水平な軸回りに回動するわけであるが、回動してほぼ水平になった状態におけるフロート体５と網体３との距離は、小さすぎて支障となるという可能性は低いが、大きすぎるとバッカン内部に居る魚が飛び出そうとしてフロート体５に当たると、その上方に存在する網体３に接触するまで回動してしまい、バッカン外へ逃げ出せてしまう。そこで、この距離は、せいぜい２〜５ｃｍまでに収まるようにするのが好ましい。
【００２１】
図２（ａ）（ｂ）は、本発明バッカン１の使用状態の一例を概略的に示すものである。バッカン本体２内には海水Ｗが溜められており、それによって浮力を得た２枚のフロート体５は回動し、ほぼ水平になっている〔同図（ａ）〕。
【００２２】
２枚のフロート体５の突合せ部分５１は、魚落とし込みスリットとなる。バッカン本体２の開口部には網体３が存在しておりこの網体３には魚投入用スリット３１が設けられているが、フロート体５の突合せ部分５１と魚投入用スリット３１は、平面視した場合にほぼ直交するように設計されている。そこで、釣った魚Ｆをフロート体５の突合せ部分５１と魚投入用スリット３１の交差部分付近をめがけて投入すると、自重で付き合わせ部分５１が開き魚Ｆは海水Ｗの中に落ちる〔同図（ｂ）〕。なお、魚Ｆを掴んだ状態で、その手でフロート体５を押し下げながら、突合せ間隙を広げて投入するほうがより確実であるが図示は省略する。
【００２３】
こうして、溜められた海水Ｗ中に落ちた魚Ｆは、水中で暴れバッカン本体２から飛び出そうとすることがある。その際本発明バッカン１の場合は、フロート体５が存在しているので魚はこのフロート体５を上方に跳ね上げることになる。
ところが本発明バッカン１は、フロート体５のすぐ上に網体３が配置されており、且つフロート体５の突合せ部分５１と魚投入用スリット３１がほぼ直交しているため、上方へは殆んど開かない。故に、魚Ｆの飛び出しはなくなる。
【実施例２】
【００２４】
図３は、本発明バッカン１の他の例を示すものであり、直方体状となっている外殻の全てがプラスチック製網で形成されている。全面網であるので当然ながら貯水能力は備えておらず、通常のバッカンＢに嵌め込むことで魚活かし容器として機能するものである。
本例の本発明バッカン１も前例と同様、魚投入用スリット３１を有する網体３や、フロート体５を具備している。
【００２５】
なお、本例の本発明バッカン１にはハンドル７が設けられているので、釣った魚を取り出す、或いは水換えする、といった作業が効果的に行なえる。
それ故に、他にバッカンが必要であるという欠点はあるものの、取り出しにくい魚（ぬめりのある魚やヒレが鋭い魚等々）を釣る場合や、頻繁に水換えを行なう必要がある場合には、外殻の全てがプラスチック製網で形成されている本例のバッカンは便利である。
【００２６】
また、本例の本発明バッカン１は、バッカンＢから取り出すとそのままスカリとして使用することができる。
即ち、２枚のフロート体５の持つ浮力によって、本発明バッカン１が沈降することなく水に浮かぶよう設計されている。また、フロート体５以外の部材に関しては、水中にあっても容器としての概形が維持できるように、比重は１以上とするのが好ましい。要するに水中で沈降するはずの本発明バッカン１は、フロート体５の浮力によって浮く、という状況となる。その上で、例えばそのハンドル７部分にロープを固定するなどしておけば水中（海中）に投じておくことができる。この状態で魚を活かしながら、バッカンＢの洗浄や水換え作業を行なうと、魚にストレスを与えずに済む。
なお、図示した例では、直方体を構成する六面の全てを網体としたが、網体であることが必須な天面以外の５面（底面と４つの側面）のいずれかが網体であっても同様の機能を持つ。従って、例えば底面以外の５面を網体としても良い（図示せず）。底面を通常の素材とした場合、例えば本発明バッカン１をバッカンＢから取り出し、魚の入った本発明バッカン１を釣り座付近に置いたときに、容器としての強度が維持できる、魚と地面が接触しないので汚れずに済む、等々が期待できる。
【実施例３】
【００２７】
図４は、本発明の更に他の例であるバッカン用蓋部材１０（以下本発明蓋部材１０という）を示すものであり、バッカンの本体部分を持たず、一般のバッカン、或いは専用のバッカンの天面開口部に嵌め込むことによって、魚活かし用のバッカンとなるものである。
【００２８】
本発明蓋部材１０は、天面側に網体３を有し、この網体３の周囲から下垂する垂直部８にフロート体５が連結されている。垂直部８の高さは約５ｃｍである。
【００２９】
図５は、図４で示した本発明蓋部材１０を、専用のバッカンＡに取り付けた状態を示すものである。本発明蓋部材１０をバッカンＡの開口に嵌め込むことで連結している。またバッカンＡには海水Ｗが溜められており、それによってフロート体５は浮力を受けて回動しほぼ水平になっている。なお、フロート体５が浮力によって回動している状態で、その回動軸側が浮上してしまうと、網体３とフロート体５が近接してしまうので、フロート体５の回動を設計通りに行なわせるために垂直部８がある程度の剛性を持っているのが好ましい。垂直部８に剛性があれば、本発明蓋部材１０を専用のバッカンＡに嵌め込みやすいという利点もある。
【００３０】
本例では本発明蓋部材１０を専用のバッカンＡに嵌め込むだけ（即ち摩擦力）で連結しているが、スライドファスナー、面ファスナー、クリップ等で連結しても良い。またバッカン開口部の大きささえ合致すれば、専用品でなくても連結することができる。
【符号の説明】
【００３１】
１      本発明に係るバッカン
２      バッカン本体
２１  内部壁面
３      網体
３１  魚投入用スリット
４      スライドファスナー
５      フロート体
５１  突合せ部分
６      環
７      ハンドル
８      垂直部
１０    本発明に係るバッカン用蓋部材
Ｗ      海水
Ｆ      魚
Ｂ      通常のバッカン
Ａ      本発明に係るバッカン用蓋部材専用のバッカン
【図１】
2020039325.tif 000003
【図２】
2020039325.tif 000004
【図３】
2020039325.tif 000005
【図４】
2020039325.tif 000006
【図５】
2020039325.tif 000007